(57)【要約】【課題】チラシ紙片と、複数の申込書紙片と、封筒付き紙片とが一体化され、申込書を直接申込先に送付できる入会申込書を提供する。【解決手段】前記課題の目的を達成するために、チラシ紙片と複数の申込書紙片と該申込書紙片より大きなサイズの封筒付き紙片とが１端部で綴じられた冊子形態を成す申込書であって、前記チラシ紙片には複数の申込書に共通の情報が記載され、前記申込書紙片には少なくとも１箇所に折り畳み予定部が形成され、前記チラシ紙片，申込書紙片，封筒付き紙片の何れかの紙片に封筒に貼付されるための申込書送付先情報記載片が形成されている入会申込書を提供する。【選択図】  図１
2006062261.tif 000002
【特許請求の範囲】
【請求項１】
チラシ紙片と複数の申込書紙片と該申込書紙片より大きなサイズの封筒付き紙片とが１端部で綴じられた冊子形態を成す申込書であって、
前記チラシ紙片には複数の申込書に共通の情報が記載され、
前記申込書紙片には少なくとも１箇所に折り畳み予定部が形成され、
前記チラシ紙片，申込書紙片，封筒付き紙片の何れかの紙片に封筒に貼付されるための申込書送付先情報記載片が形成されていることを特徴とする入会申込書。
【請求項２】
請求項１に記載の入会申込書において、申込書送付先情報記載片は、剥離可能、かつ再貼付可能な粘着ラベルであることを特徴とする入会申込書。
【発明の詳細な説明】
【技術分野】
【０００１】
本発明は、入会申込書に関し、詳しくは、チラシ紙片と複数の申込書紙片と封筒付き紙片とが一体化された入会申込書に関する。
【背景技術】
【０００２】
近年、クレジットカード業界をはじめとするカード業界で、チラシ，入会申込書，封筒が一体となった「入会申込書付きチラシ」が多く利用されている。
これら「入会申込書付きチラシ」の多くは、入会申込書に記載されたカード会社が配布するようになっているが、例えば、ショッピングセンターなどカード会社ではない団体、または、企業がクレジットカードを発行する場合がある。
上記のような場合、ショッピングセンターが会員を募集して、ショッピングセンターとクレジットカード会社との提携カードを発行することになるため、「入会申込書付きチラシ」は、Ａカード，Ｂカード，Ｃカードなど異なるカード会社の入会申込書が一体化された入会申込書となっている。
この場合、本来クレジットカードの入会申込書は、顧客が選択したカード会社に直接送付されることが好ましいのであるが、入会申込書は、一旦、募集を行うショッピングセンターに送付される。このような形態を取る場合は、募集を行うショッピングセンターが中継業務を請け負っている。
会員募集を行ったショッピングセンターは、申込情報の把握ができるというメリットがあるが、申し込んだ者の個人情報がショッピングセンターに知られることになる。
個人情報保護の要求が高まりつつある昨今、ショッピングセンターが入会審査に関わる情報、例えば、年収，世帯構成，勤続先などの情報に接することは好ましい状態とはいえない。
【０００３】
前述のような背景から、提携カードの入会申込書を直接カード会社に送付したいというニーズが生じてきた。
このようなニーズに対して、例えば、申込書と封筒を兼ねたものになっている紙片を使用する方法があるが、申込者本人が自ら封筒を作製しなければならず、不器用な者はこの段階で申し込みを断念することになる。また、作製された封筒が一定しないためにカード会社における開封業務が混乱するという弊害も生じている。
また、申込書，説明書，接着部が形成された封筒紙片が一端で綴じられた申込書綴りから目的とする申込書を選択して申し込み内容を記入した後、封筒紙片の接着部を保護する透明な剥離シートを除去して折り畳み、封書にして郵送する封筒一体型申し込み用紙が提案されている（例えば、特許文献１参照）。
然し、前述の提案技術は、封書化する際に透明なシートを廃棄する一方で、封書化する方法が複雑で、申込み者に負担をかける技術となっている。
【０００４】
【特許文献１】特開平８−５３１４１号公報
【発明の開示】
【発明が解決しようとする課題】
【０００５】
カード会社の、例えば、「年会費が無料」，「割引がある」という金額的なサービス要素も重要であるが、「入会手続が容易で、個人情報の保護に対する配慮が行き届いていること」も重要なサービス要素である。
そこで、本発明は、チラシ紙片と、複数の申込書紙片と、封筒付き紙片とが一体化され、申込書を直接申込先に送付できる入会申込書を提供する。
【課題を解決するための手段】
【０００６】
前記課題の目的を達成するために、本発明の入会申込書の請求項１に記載の発明は、チラシ紙片と複数の申込書紙片と該申込書紙片より大きなサイズの封筒付き紙片とが１端部で綴じられた冊子形態を成す申込書であって、前記チラシ紙片には複数の申込書に共通の情報が記載され、前記申込書紙片には少なくとも１箇所に折り畳み予定部が形成され、前記チラシ紙片，申込書紙片，封筒付き紙片の何れかの紙片に封筒に貼付されるための申込書送付先情報記載片が形成されていることを特徴とするものである。
【０００７】
また、請求項２に記載の発明は、請求項１に記載の発明において、申込書送付先情報記載片は、剥離可能、かつ再貼付可能な粘着ラベルであることを特徴とするものである。
【発明の効果】
【０００８】
１）請求項１に記載のように、チラシ紙片と複数の申込書紙片と該申込書紙片より大きなサイズの封筒付き紙片とが１端部で綴じられた冊子形態を成す申込書であって、前記チラシ紙片には複数の申込書に共通の情報が記載され、前記申込書紙片には少なくとも１箇所に折り畳み予定部が形成され、前記チラシ紙片，申込書紙片，封筒付き紙片の何れかの紙片に封筒に貼付されるための申込書送付先情報記載片が形成されていることによって、現在配布されて利用されている冊子形態をそのまま踏襲することができ、受け入れられ易い。また、封筒ができ上がっていて、封緘すればよい状態になっているために顧客に負担が掛らない。
さらに、申込書が封書化されているために顧客の個人情報を中継者に知られることなく最終送付先に送付することができる。
２）また、請求項２に記載のように、請求項１に記載の発明において、申込書送付先情報記載片は、剥離可能、かつ再貼付可能な粘着ラベルであることによって、より簡便に封書を作成することができる。
【発明を実施するための最良の形態】
【０００９】
以下、図面を参照して本発明の入会申込書について説明する。
図１は、本発明の入会申込書の紙片構成について説明するための図，図２は、本発明の入会申込書を長辺に平行に切断した場合の断面について説明するための図、図３は、本発明の入会申込書の封筒に貼付される申込書送付先情報記載片の一例について説明するための図，図４は、本発明の入会申込書の封筒に貼付される申込書送付先情報記載片の他の一例について説明するための図，図５は、本発明の入会申込書の使用方法の一例について説明するための図，である。
【００１０】
図１を参照して、本発明の入会申込書の紙片構成について説明する。
入会申込書１は、チラシ紙片１１，申込書紙片１２，１３，１４，封筒付き紙片１５のそれぞれの紙片が、図の左端の綴じ部（図示せず）で綴じられている。
前記綴じ部は、線状，点状に形成された糊や、細い針金などによって綴じられている。
申込書紙片１２，１３，１４の天地サイズは、封筒付き紙片１５に形成された封筒１５３に封入できるサイズになっている。
即ち、選択された申込書紙片が短辺に平行に形成された折り畳み予定部で４つに折り畳まれて、そのまま封筒に封入できるようになっている。
図示しないが、申込書紙片１２，１３，１４には、複数綴じられた時に見分け易いように見だし部を形成することもできる。
冊子状に綴じられた入会申込書１の、最上部の枚目は、チラシ紙片１１になっていて、チラシ紙片の下部に綴じられている複数のカード会社などの申込書紙片１２，１３，１４の使用方法や、この入会申込書１を取り扱っている、例えば、ショッピングセンターの宣伝文などが印刷によって記載されている。
チラシ紙片１１は、入会申込書の製造装置の都合などで封筒付き紙片１５と同じ大きさになっていてもよい。
【００１１】
それぞれの申込書紙片には申込書を４つに折り畳むことができるように３本の折り畳み予定部が略同じ間隔で形成されている。
折り畳み予定部には、点線や実線を印刷で表示しても、筋押しを施しても、ミシン目を施してもよい。
申込書紙片１２，１３，１４の片面は、入会申し込み内容を記載する記載欄になっている。
入会を希望する顧客は、上記複数枚綴じてある申込書紙片から申込みたいと思う会社の申込書紙片を選択して、切取りミシン部（１２１，１３１，１４１）で切取り、入会申し込み内容記載欄に必要事項、例えば、住所，氏名，性別，生年月日，年齢，職業，年収，住居の形態などの個人情報を記入する。
申込書に必要事項を全て記載したら、まず、中央の折り畳み予定部で記載面を内側にして２つに折り畳み、さらに、その隣の折り畳み予定部で２つに折り畳む。
封筒１５３のフラップ部（図示せず）には接着部が設けられており、申込書を封入した後この接着部に形成された接着剤で封緘する。
チラシ紙片，申込書紙片，封筒付き紙片の何れかの紙片に形成された申込書送付先情報記載片の中から、封入した申込書に対応する申込書送付先情報記載片を選択して切取り、または、引き剥がして封緘された封筒の表面に貼付する。
【００１２】
図２を参照して、本発明の入会申込書を長辺に平行に切断した場合の断面について説明する。
冊子状に綴じられた入会申込書１は、チラシ紙片１１，申込書紙片１２，１３，１４，封筒付き紙片１５が左端の綴じ部１６で針金や、接着剤などによって綴じられている。
また、チラシ紙片１１，申込書紙片１２，１３，１４，封筒付き紙片１５には、切り取りミシン１１１，１２１，１３１，１４１，１５１，１５４がそれぞれ形成されている。
また、申込書紙片１２，１３，１４には、それぞれの紙片が正しく折り畳まれるように折り畳み予定部（申込書紙片１２の場合、中央の折り畳み予定部１２３）が形成されている。
図２では、チラシ紙片１１と申込書紙片１２，１３，１４は同じ長さになっているが製造装置の都合でチラシ紙片１１は、封筒付き紙片１５と同一サイズになっていてもよい。
また、申込書紙片１２，１３，１４には見分け易くするために見出しを形成することもできる。
【００１３】
封筒部１５３は、封筒を形成する片側材料１７が封筒付き紙片を構成する材料と同じ材料で構成され、所定の幅で形成された接着剤１８で「コ」の字上に接着されている。
封筒１５３のフラップ部１５７に形成された封緘用接着部１５２には、再湿型の接着剤や、剥離紙で保護ざれた粘着剤が形成されており、申込書を封入した後、接着部を水で濡らしたり、剥離紙を剥して接着し封緘する。
【００１４】
図３を参照して、本発明の入会申込書の封筒に貼付される申込書送付先情報記載片の一例について説明する。
本実施の形態では、申込書紙片１２，１３，１４のそれぞれの送付先情報１５０１が記載された申込書送付先情報記載片１５５が封筒付き紙片１５の残余紙片１５０に形成されている。
それぞれ申込書の送付先情報記載片の中から、封入した申込書に対応する申込書送付先情報記載片１５５を選択し、破線で示した切取り部で切取って封筒に貼付する。
切取り部には、切取り易いように切取りミシンを形成してもよい。
また、申込書送付先情報記載片１５５には、接着し易いように、それぞれの申込書送付先情報記載片の裏側に水性の再湿糊などを塗布してもよい。
選択した申込書送付先情報記載片１５５を封筒の表に貼付する。
【００１５】
図４を参照して、本発明の入会申込書の封筒に貼付される申込書送付先情報記載片の他の一例について説明する。
申込書紙片１２，１３，１４のそれぞれの申込書送付先情報１５０２が記載された申込書送付先情報記載ラベル１５６が封筒付き紙片１５の残余紙片１５０にそれぞれ独立した状態で形成されている。
前記ラベルの中から、封入した申込書に対応する送付先情報記載ラベルを選択し、残余紙片１５０から引き剥がして封筒１５３に貼付する。
残余紙片１５０に形成された各送付先情報記載ラベルの境界には、切り込みが施されており、ラベルの端部を摘んで引き剥がすと１枚の独立したラベル片として剥離するようになっている。
前記送付先情報記載ラベル１５６は、封筒付き紙片１５に剥離紙と一緒に形成しても、封筒付き紙片１５に剥離剤を形成し、その上に直接送付先情報記載ラベルを形成してもよい。
【００１６】
図５を参照して、本発明の入会申込書の使用方法の一例について説明する。
図５の説明では、図４で説明した申込書送付先情報記載ラベルを封筒に貼付する例で説明する。
提携クレジットカードの申込みを希望する顧客は、冊子状の入会申込書１から希望するクレジットカード会社の申込書１２を選択し、切り離し、申込書の記載欄に必要事項を記入し、申込書紙片をチラシなどに記載されている方法で折り畳み、封筒に封入し、封緘し、封筒の表面に申込書送付先情報記載ラベルを貼付して送付する。
【００１７】
ａ図に示すように、入会申込書１は、チラシ紙片１１，申込書紙片１２，１３，１４，封筒付き紙片１５が左端の綴じ部（図示せず）で綴じられて形成されている。
ｂ図に示すように、顧客は、まずａ図に示す冊子状の入会申込書１から、切取りミシン部で申込書紙片１２と、封筒部１５３を切り離す。
次に、顧客は、ｃ図に示す申込書紙片１２の個人情報記載欄に必要事項を記入し、申込書紙片をチラシなどに記載されている方法で折り畳む。
次に、ｄ図に示すように、申込書１２を封筒１５３に封入し、フラップ１５７を折り曲げて接着（封緘）し、封入した申込書に対応する申込書送付先情報１５０２が記載された申込書送付先情報記載ラベル１５６をｂ図の封筒付き紙片の残余紙（図４参照）から剥して封筒１５３の表面に貼付する。
【産業上の利用可能性】
【００１８】
本発明の入会申込書は、チラシ紙片と複数の申込書紙片と封筒付き紙片とが一体化された入会申込書に利用できる。
【図面の簡単な説明】
【００１９】
【図１】本発明の入会申込書の冊子構成について説明するための図である。
【図２】本発明の入会申込書を長辺に平行に切断した場合の断面について説明するための図である。
【図３】本発明の入会申込書の封筒に貼付される申込書送付先情報記載片の一例について説明するための図である。
【図４】本発明の入会申込書の封筒に貼付される申込書送付先情報記載片の他の一例について説明するための図である。
【図５】本発明の入会申込書の使用方法の一例について説明するための図である。
【符号の説明】
【００２０】
１      入会申込書
１１    チラシ紙片
１２，１３，１４  申込書紙片
１５    封筒付き紙片
１６    綴じ部
１７    封筒を形成する片側材料
１８    接着剤
１１１，１２１，１３１，１４１，１５１，１５４  切取りミシン部
１２３  折り畳み予定部
１５０  封筒付き紙片残余紙片
１５２  接着部
１５３  封筒、封筒部
１５５  申込書送付先情報記載片
１５６  申込書送付先情報記載ラベル
１５７  フラップ
１５０１，１５０２  申込書送付先情報
【図１】
2006062261.tif 000003
【図２】
2006062261.tif 000004
【図３】
2006062261.tif 000005
【図４】
2006062261.tif 000006
【図５】
2006062261.tif 000007